(57)【要約】  単純かつ堅固な設計であり、指向性無線、特に指向性無線アンテナ用に良好に調整することができる整列装置（１０）は、２つの相互に直交する回転軸（１３、１４）を中心として旋回可能に共有中間部（１７）上に連接される２つの取り付け金具（１５、１６）と、中間部（１７）に対する２つの取り付け金具（１５、１６）の回転角度を分離調整し、かつ固定するための２つの作業単位（１８、１９）とにより特徴付けられる。
2009519632.tif 000002
【特許請求の範囲】
【請求項１】
共有中心部（１７）で連接され２つの相互に直交する回転軸（１３、１４）を中心として旋回可能である２つの取り付け金具（１５、１６）と、中心部（１７）に対する２つの取り付け金具（１５、１６）の回転角度を分離調整しかつ固定するための２つ作業単位（１８、１９）とを特徴とする指向性無線、特に指向性無線アンテナ用の整列装置（１０）。
【請求項２】
関連する回転軸（１３、１４）に平行な取り付け面（１１、１２）が２つの各取り付け金具（１５、１６）上に形成されることを特徴とする請求項１に記載の整列装置。
【請求項３】
前記取り付け面（１１、１２）は長方形であり、その面に分布する複数の取り付け孔（２１、２２）を具備することによりアンテナおよび／またはホルダに取り付けることを特徴とする請求項２に記載の整列装置。
【請求項４】
前記取り付け孔（２１、２２）は、関連する回転軸（１３、１４）に平行な細長い孔の形であることを特徴とする請求項３に記載の整列装置。
【請求項５】
前記中心部（１７）および前記２つの取り付け金具（１５、１６）は、それぞれ金属シートから型打ちされ曲げられた部品として一体的に製造されることを特徴とする請求項１に記載の整列装置。
【請求項６】
前記中心部（１７）は、２つの回転軸に平行で、かつ特に正方形である第１の下部金属シート（１７ａ）を含み、この第１の下部金属シート（１７ａ）から第１の側部金属シート（１７ｂ、１７ｃおよび１７ｄ）が２つ一組でそれぞれ向かい合って反対方向に直角に曲げられ、かつ各回転軸（１３、１４）は、前記中心部（１７）の一対の側部金属シート（１７ｂ、１７ｃおよび１７ｄ）に取り付けられることを特徴とする請求項５に記載の整列装置。
【請求項７】
前記取り付け金具（１５、１６）は、それぞれ第２の下部金属シート（１５ａまたは１６ａ）を含み、この第２の下部金属シート（１５ａまたは１６ａ）から２つの第２の側部金属シート（１５ｂ、１５ｃおよび１６ｂ、１６ｃ）が向かい合って一方向に直角に曲げられ、かつ前記取り付け金具（１５、１６）は、それぞれ前記２つの第２の側部金属シート（１５ｂ、１５ｃおよび１６ｂ、１６ｃ）を備えて一対の第１の側部金属シート（１７ｂ、１７ｃおよび１７ｄ）上に取り付けることにより関連する回転軸（１３または１４）を中心にして旋回可能であるようにすることを特徴とする請求項６に記載の整列装置。
【請求項８】
シャフトボルト（３０）がいずれの場合も設けられて、旋回可能に前記中心部（１７）に前記取り付け金具（１５、１６）を取り付けるようにし、かつ前記第２の側部金属シート（１５ｂ、１５ｃおよび１６ｂ、１６ｃ）および関連する対の第１の側部金属シート（１７ｂ、１７ｃおよび１７ｄ）を直角に通過することを特徴とする請求項７に記載の整列装置。
【請求項９】
作業単位（１８、１９）は、取り付け金具（１５、１６）の回転角度を微調整するための調整手段（２７、３１、３３、３４、３５）と、具体的な角度位置に取り付け金具（１５，１６）を固定する手段とをそれぞれ含むことを特徴とする請求項７または８に記載の整列装置。
【請求項１０】
前記作業単位（１８、１９）は、第１の側部金属シート（１７ｃまたは１７ｄ）および第２の側部金属シート（１５ｃまたは１６ｂ）の間に配置され、各回転軸（１３または１４）を中心として旋回可能に取り付けられる中間片（３１）を含み、外側から作動させることができる偏心器（２７）が前記中間片（３１）上の調整手段として回転可能に取り付けられ、かつ第１の側部金属シート（１７ｃまたは１７ｄ）の切り抜き（３５）に接触し、外側から前記第２の側部金属シート（１５ｃまたは１６ｂ）を通過する締め付けねじ（３２）が中間片（３１）に固定手段としてねじ込まれることができ、これによって前記取り付け金具（１５または１６）を中間片（３１）に対して固定することができることを特徴とする請求項９に記載の整列装置。
【発明の詳細な説明】
【技術分野】
【０００１】
本発明は、指向性無線の分野に関する。詳細には、指向性無線、特に指向性無線アンテナ用の整列装置に関する。
【背景技術】
【０００２】
費用的理由から、互いに正確に整列した２つの小型トランシーバと対応するアンテナとからなる通信回線により、例えば隣接ビルなどの間の短い距離に伝送する小型の指向性無線伝搬路がますます用いられるようになっている。このように指向性無線回線を設計する場合には、電化製品を目通し線のある適切な位置に設置する必要があり、次に互いに正確に整列させる必要がある。この目的から、固定され調整されることができる取り付け器具および整列装置は、機械的に頑丈で、単純かつ費用効率が良い設計であり、容易かつ正確に調整することもできることが必要となる。
【０００３】
特に、このような整列装置は、以下の要件に従う必要がある：
−  １０００ｍの距離で±１°の精度で整列が可能でなければならない。
−  取り付け器具は、アンテナおよびその送信ローブが取り付け面に直角または平行に整列することができるように設計される必要がある。該アンテナを垂直に壁に吊下げまたは壁に直接取り付けることを可能とする必要がある。
−  該アンテナは偏向するので、向かい側のアンテナは、（例えば、壁に取り付けおよび吊下げて取り付けるために）いつも同様に整列するよう確保されることが不可欠である。
−  取り付け器具を平面および柱に取り付けることが可能である必要がある。
−  移動自由度は、方位角が少なくとも±４５°であり、仰角が±４５°である必要がある。
−  ±０．５°の機械精度が方位角および仰角の調整のために達成される必要がある。
−  方位角設定の変化が仰角に影響を与えてはならない（または最小限にとどめる必要がある）（逆の場合も同じ）。
−  該構造は風速１１０ｋｍ／時に耐えて（アンテナの方向の最大１°の変化まで）リンクが確保され、かつ最大風速２００ｋｍ／時に損傷なく耐えることができる必要がある。
−  −３０℃ないし＋５５℃の作動温度という環境条件に従わなければならない。同様に該装置は屋外で用いられるため、降水量およびその結果の影響を受けにくくなければならない。
−  市販の道具（パソコンを含む）のみ用いて架設することができる。
−  しかしながら、該器具は魅力的な外観を有する必要もある。
【発明の開示】
【発明が解決しようとする課題】
【０００４】
本発明の目的は、単純かつ堅固な設計であり、多様な方向に容易に調整することができる整列装置を提供することにある。
【課題を解決するための手段】
【０００５】
この目的は、請求項１に記載の全ての特徴により達成される。本発明の本質は、共有中心部で連接され２つの相互に直交する回転軸を中心に旋回可能な２つの取り付け金具と、該中心部に対する２つの取り付け金具の回転角度を分離調整し、かつ固定するための２つの作業単位とを提供することにある。調整方法は、偏心器を用いて粗い調整および細かい調整をすることにより実行され、かつ片手で実行することができる。
【０００６】
本発明に係る整列装置の１つの好適な改良として、関連する回転軸に平行な取り付け面が２つの取り付け金具のそれぞれに形成され、該取り付け面は長方形で、その面に分布する複数の取り付け孔を具備してアンテナおよび／またはホルダを取り付けるようにし、該取り付け孔は関連する回転軸に平行な細長い孔の形であることを特徴とする。
【０００７】
本発明の他の改良としては、該中心部および該２つの取り付け金具が金属シートから型打ちし曲げられた部品としてそれぞれ一体的に製造され、該中心部は、２つの回転軸に平行で特に正方形である第１の下部金属シートを含み、この第１の下部金属シートから、第１の側部金属シートが２つ一組でそれぞれ向かい合って反対方向に直角に曲げられ、各回転軸は該中心部の一対の側部金属シートに取り付けられることを特徴とする。
【０００８】
１つの好適な改良として、該取り付け金具はそれぞれ第２の下部金属シートを含み、その第２の下部金属シートから２つの側部金属シートが向かい合って一方向に直角に曲げられ、該取り付け金具は、２つの第２の金属シートを備えて一対の第１の側部金属シート上にそれぞれ取り付けられて、関連する回転軸を中心として旋回可能とし、シャフトボルトがいずれの場合にも設けられ、中心部に取り付け金具を旋回可能に取り付けるようにし、かつ第２の側部金属シートと関連する一対の第１の側部金属シートを直角に通過することを特徴とする。
【０００９】
好適には、該作業単位は、取り付け金具の回転角度を微調整するための調整手段と、該取り付け金具を具体的な角度位置に固定する手段とをそれぞれ含む。
【００１０】
詳細には、該作業単位は、第１の側部金属シートおよび第２の側部金属シートの間に配置され、かつ各回転軸を中心として旋回可能に取り付けられる中間片をそれぞれ含み、外側から作動させることができる偏心器を該中間片上の調整手段として回転可能に取り付け、かつ第１の側部金属シートの切り抜きに接触させ、外側から第２の側部金属シートを通過する締め付けねじを固定手段として中間片にねじ込むことができ、それによって取り付け金具を中間片に対して固定することができる。
【００１１】
図面と共に典型的な実施形態を参照することにより、本発明を以下でより詳細に説明する。
【発明を実施するための最良の形態】
【００１２】
図１は、本発明に係る整列装置の１つの好適な典型的実施形態の斜視図を示す。該整列装置は、共有中心部１７上に連接された２つの取り付け金具１５および１６を含み、これら取り付け金具１５および１６が２つの相互に直交する回転軸１３および１４を中心として旋回することができるようにする。２つの分離した作業単位１８、１９が設けられることにより、該中心部１７に対する２つの取り付け金具１５、１６の旋回角度を分離調整しかつ固定するようにし、作業単位１８、１９は、各取り付け金具１５、１６と結合される。２つの取り付け金具１５および１６は、作業単位１８、１９と同様に同一のデザインであり、中心部に同じ方法で連接されることにより、各取り付け金具１５、１６を任意に用いて、指向性無線を取り付けることができ、または壁に取り付けることができる。
【００１３】
中心部１７および２つの取り付け金具１５、１６は、それぞれ一体的であり、単純に型打ちされ折り曲げられた部品として金属シートから低価格で製造される。それぞれ関連する回転軸１３または１４にそれぞれ平行である扁平な取り付け面１１または１２が、各２つの取り付け金具１５および１６上にそれぞれ形成され、該アンテナは、この取り付け面１１または１２に取り付けられ、および／または取り付け面１１または１２が用いられて該整列装置を壁などに取り付けることができる。該取り付け面１１、１２は、好適には長方形であり、取り付け面上に分布するように配置された複数の取り付け孔２１、２２を具備して、アンテナを取り付けまたは該整列装置をホルダに取り付けるようにし、これら取り付け孔２１、２２が関連する回転軸１３、１４に平行な細長い孔の形をしていることにより、より良好に適応させることができる。取り付け孔２１、２２はまた、整列装置１０がアンテナと共に垂直な柱に取り付けられる場合に、取り付け金具を調整するために用いることもできる。
【００１４】
典型的実施形態の中心部１７は、２つの回転軸１３、１４に平行で、かつ詳細には正方形である第１の下部金属シート１７ａを含み、その第１の下部金属シート１７ａから第１の側部金属シート１７ｂ、１７ｃ、および１７ｄが２つ一組でそれぞれ向かい合って反対方向に直角に曲げられる。各回転軸１３、１４は、中心部１７の一対の第１の側部金属シート１７ｂ、１７ｃまたは１７ｄに取り付けられる。第１の側部金属シート１７ｂ、１７ｃおよび１７ｄの自由端部は曲線的であることによって、取り付け金具１５、１６の対応する旋回運動を可能とするようにする。
【００１５】
この取り付け金具１５、１６自体は、それぞれ第２の下部金属シート１５ａまたは１６ａ（その外面は取り付け面１１または１２をそれぞれ形成する）を含み、この第２の下部金属シート１５ａ、１６ａから２つの第２の側部金属シート１５ｂ、１５ｃおよび１６ｂ、１６ｃが向かい合って一方向に直角に曲げられる。第２の側部金属シート１５ｂ、１５ｃおよび１６ｂ、１６ｃの自由端部もまた曲線的である。取り付け金具１５、１６は、それぞれ２つの第２の側部金属シート１５ｂ、１５ｃおよび１６ｂ、１６ｃを備えて、それぞれ一対の第１の側部金属シート１７ｂ、１７ｃおよび１７ｄ上に取り付けられ、関連する回転軸１３または１４を中心にしてそれぞれ旋回することができるようにする。２つの側部金属シート１５ｂ、１５ｃおよび１６ｂ、１６ｃの間の距離は、（図２の中間片３１を考慮すると）このため、対の第１の側部金属シート１７ｂ、１７ｃおよび１７ｄの間の距離よりもそれぞれ若干大きいにすぎない。
【００１６】
中心部１７上の取り付け金具１５、１６が旋回可能に取り付けられるために、シャフトボルト３０が各回転軸１３、１４に設けられ、取り付け金具１５、１６の第２の側部金属シート１５ｂ、１５ｃおよび１６ｂ、１６ｃと、中心部１７の関連する対の第１の側部金属シート１７ｂ、１７ｃおよび１７ｄをそれぞれ直角に通過する。図２に示すように、シャフトボルト３０は、第１の側部金属シート１７ｂ、１７ｃの間に配置される間隔スリーブ２０と、２つの側部金属シート１５ｃおよび１７ｃを通過する軸受けスリーブ２９とを貫通する。この回転軸１３、１４の設計により、シャフトボルト３０の先端に配置される六角形凹所を用いて、中心部１７に対して回転角度と関連する取り付け金具とを粗く設定することが可能となる。
【００１７】
シャフトボルト３０は、いずれの場合でも、それぞれ調整手段を含む各作業単位１８または１９の一部であり、本質的にお互いに独立して作動することができることにより、取り付け金具の回転角度を微調整し、また、具体的角度位置において取り付け金具を固定する手段でもある。各作業単位１８、１９の一つの重要な構成要素は、第１の各側部金属シート１７ｃまたは１７ｄおよび第２の各側部金属シート１５ｃまたは１６ｂの間に配置される中間片３１であり、軸受けスリーブ２９によりシャフトボルト３０に取り付けられ、各回転軸１３または１４を中心として旋回することができる。
【００１８】
調整手段として、六角形凹所を備えた調整ねじを用いて外側から作動させることができる偏心器２７が中間片３１上に取り付けられ、偏心器２７は回転することができ、第１の側部金属シート１７ｃまたは１７ｄ上で（図１に示す切り抜き３５′に相当する）長方形切り抜き３５にそれぞれ係合しかつ偏心器２７が回転するときに、該中間片３１が僅かに正の角度または負の角度で中心部１７に対して旋回するように接触するようにする。これは正確に調整されうる。偏心器２７が作動しなければ、取り付け金具１５がかなり大きな角度で旋回する場合にも、中間片３１は中心部１７に対して固定されたままとなる。ポインタ板３４が偏心器２７および調整ねじ３３の間に配置され（この調整ねじ３３は偏心器２７内に堅固にねじ込まれる）、偏心器２７の回転位置の外部的表示を提供する。
【００１９】
外側から第２の側部金属シート（１５ｃまたは１６ｂのそれぞれ）を通過し、六角形凹所を具備する締め付けねじ３２が作業単位１８、１９の中間片３１内に固定手段としてねじ込むことができ、それによって取り付け金具１５および１６を、それぞれ中間片３１に対して各旋回位置で固定することができる。締め付け方法は、締め付け金属シート２８により側部金属シート１５ｃを押圧する締め付けねじ３２を用いることによって容易となる。
【００２０】
該シャフトボルト３０、締め付けねじ３２および偏心器２７は、調整ねじ３３を用いて中間片３１の固定位置に取り付けられ、中間片３１は僅かな旋回範囲を除けば中心部に対して固定され、回転軸１３、１４に対して同心であり締め付けねじ３２および偏心器２７用の弧状孔２３、…、２６が第２の側部金属シート１５ｂ、１５ｃおよび１６ｂ、１６ｃに設けられる必要があり、約±４５°の粗い回転範囲を確保するようにする。
【図面の簡単な説明】
【００２１】
【図１】本発明に係る整列装置の１つの好適な典型的実施形態の斜視図を示す。
【図２】図１に示す整列装置の２つの作業単位のうちの１つの断面図を示す。
【符号の説明】
【００２２】
１０  整列装置
１１、１２  取り付け面
１３、１４  回転軸
１５、１６  取り付け金具
１５ａ、１６ａ  下部金属シート
１５ｂ、ｃ；１６ｂ、ｃ  側部金属シート
１７  中心部
１７ａ  下部金属シート
１７ｂ、ｃ、ｄ  側部金属シート
１８、１９  作業単位
２０  間隔スリーブ
２１、２２  取り付け孔（細長い孔）
２３、…、２６  弧状孔（９０°）
２７  偏心器
２８  取り付け金属シート
２９  軸受けスリーブ
３０  シャフトボルト
３１  中間片
３２  取り付けねじ
３３  調整ねじ
３４  ポインタ板
３５、３５′  切り抜き（長方形）
【図１】
2009519632.tif 000003
【図２】
2009519632.tif 000004
【国際調査報告】
2009519632.tif 000005
2009519632.tif 000006
2009519632.tif 000007
2009519632.tif 000008
2009519632.tif 000009
2009519632.tif 000010